(57)【要約】【課題】サイホン起動が十分に早いものとなる排水ソケットと、この排水ソケットを用いた便器設置構造とを提供する。【解決手段】排水ソケット２０は、排水口４が上方から差し込まれる第１筒部２１と、該第１筒部２１に対し縮径方向に張り出す環状の径方向部２３と、該径方向部２３の内周側から下方に延在した第２筒部２２と、径方向部２３に係止され、必要に応じ接着剤等によって固定されたオリフィス板３０等を備えている。オリフィス板３０は、外周側の円環部３１と、該円環部３１の内周端から垂下する短い筒状の環壁部３２と、該環壁部３２の下端に連なる円環状の張出部３３とを有している。段部たる円環部３１よりも環壁部３２の高さΔＨ分だけ下位に前記張出部３３が位置している。【選択図】図１
2007327300.tif 000002
【特許請求の範囲】
【請求項１】
便器の下方に向って開放する排水口に装着される排水ソケットであって、
該排水口が上方から挿入される第１筒部と、
該第１筒部の下端から縮径方向に張り出す環状の段部と、
該段部の内周縁から下方に延出した第２筒部と、
該第２筒部の上部から縮径方向に突設された環状の張出部と
を有する排水ソケットにおいて、該張出部を前記段部よりも下位に設けたことを特徴とする排水ソケット。
【請求項２】
請求項１において、該張出部と段部との高低差が３〜１０ｍｍであることを特徴とする排水ソケット。
【請求項３】
便器の排水口と排水管とが排水ソケットを介して接続された便器設置構造において、該排水ソケットが請求項１又は２に記載の排水ソケットであることを特徴とする便器設置構造。
【発明の詳細な説明】
【技術分野】
【０００１】
本発明は、便器の排水口と排水管とを接続する排水ソケットに関する。また、本発明は、この排水ソケットを用いた便器設置構造に関する。
【背景技術】
【０００２】
便器の排水口を排水ソケットによって排水管に接続した代表的な従来例（特開平８−２６０５５１号の従来技術の欄及び図６に記載）について第２図を参照して説明する。
【０００３】
便器（洋風便器）１の便鉢２は、トラップ３を介して排水口４に連通している。この排水口４は円筒形であり、筒軸心方向を略鉛直方向として下方に向って開放している。排水ソケット１０は、該排水口４が上方から差し込まれる第１筒部１１と、該第１筒部１１に対し段部１３を介して連なる第２筒部１２と、該第２筒部１２の下端に設けられたオリフィス１４と、第２筒部１２を取り巻く外筒体１５等を備えている。第１筒部１１の上部外周には、外周筒状部１１ａが一体に設けられ、この外周筒状部１１ａと第１筒部１１との間にパッキン１８が押し込まれて装着されている。
【０００４】
段部１３は、第１筒部１１の下端から縮径方向（内方）へ延出した環形状である。第２筒部１２は、この段部１３の内周端から下方に延在している。オリフィス１４は、第２筒部１２の下端から縮径方向に突設された環形の鍔状に形成されている。外筒体１５は、第１筒部１２の下端に連なっている。この外筒体１５の下端がトイレルームの床面Ｆに当接している。
【０００５】
排水口４は、この第１筒部１１に上方から差し込まれている。第１筒部１１の上端に装着された環状のパッキン１８の内周側リップ部が排水口４の外周面に水密的に当接している。
【０００６】
第２筒部１２の下部が、床面Ｆから突出した排水管１９に上方から差し込まれている。
【０００７】
フラッシュ時の便鉢洗浄排水がこの排水ソケット１０に流入してきた場合、水の一部がオリフィス１４に当って内方へ弾ね返ることにより、排水ソケット１０及び排水口４付近が満水状態となり、その後この満水状態の水が落下することによりトラップ３にサイホン排出流が形成される。
【０００８】
上記特開平８−２６０５５１号の図１〜３には、このサイホン排出流が早期に形成されるようにするために、第２筒部１２の上部に縮径方向に環状の張出部を設けることが記載されている。この張出部の上面は段部１３と面一状である。
【０００９】
第３図は、同号公報の図２に記載の排水ソケット１０Ａを示すものであり、符号１７が張出部を示している。第３図の排水ソケット１０Ａのその他の構成は上記排水ソケット１０と同一であり、同一符号は同一部分を示している。
【特許文献１】特開平８−２６０５５１号
【発明の開示】
【発明が解決しようとする課題】
【００１０】
上記特開平８−２６０５５１号のように、第２筒部１２の上部に張出部１７を設けた排水ソケットにおいて、この張出部１７の上面が段部１３と面一状である場合、排水口から落下してきた水の一部が張出部１７で弾ね返され、排水口４の下端と段部１３との間の間隙を通って排水口４の外周面と第１の筒部１１との間に逃げ、その分だけ排水ソケット内が満水になるのが遅くなり、サイホン起動が十分には早くならないおそれがあった。本発明は、サイホン起動が十分に早いものとなる排水ソケットと、この排水ソケットを用いた便器設置構造とを提供することを目的とする。
【課題を解決するための手段】
【００１１】
本発明の排水ソケットは、便器の下方に向って開放する排水口に装着される排水ソケットであって、該排水口が上方から挿入される第１筒部と、該第１筒部の下端から縮径方向に張り出す環状の段部と、該段部の内周縁から下方に延出した第２筒部と、該第２筒部の上部から縮径方向に突設された環状の張出部とを有する排水ソケットにおいて、該張出部を前記段部よりも下位に設けたことを特徴とするものである。
【００１２】
この張出部と段部との高低差は、３〜１０ｍｍ程度であることが好ましい。
【００１３】
本発明の便器設置構造は、かかる本発明の排水ソケットを用いて便器の排水口と排水管とを接続したものである。
【発明の効果】
【００１４】
本発明によると、張出部が段部よりも下位に設けられているので、張出部に当った水が排水口の外周へ逃げることが防止ないし抑制される。これにより、サイホン起動が十分に早くなる。
【発明を実施するための最良の形態】
【００１５】
以下、図面を参照して実施の形態について説明する。
【００１６】
第１図（ａ）は実施の形態に係る排水ソケットを示す縦断図面であり、第１図（ｂ）は同（ａ）のＢ−Ｂに沿う断面図、第１図（ｃ）はオリフィス板の縦断図面である。
【００１７】
この排水ソケット２０は、排水口４（第１図では（ｂ）図に２点鎖線にて図示）が上方から差し込まれる第１筒部２１と、該第１筒部２１に対し縮径方向に張り出す環状の径方向部２３と、該径方向部２３の内周側から下方に延在した第２筒部２２と、径方向部２３に係止され、必要に応じ接着剤等によって固定されたオリフィス板３０等を備えている。前記第２図と同様に、第１筒部２１の上部外周には外周筒状部２１ａが設けられ、パッキンが装着可能とされている。
【００１８】
この第２筒部２２は、その軸心線方向が四分円弧状に湾曲し、排水口２４が側方を向いている。
【００１９】
第１筒部２１を下方に延長するようにして台座カバー部２６が設けられ、この台座カバー部２６の下端にベース部２７が連なっている。このベース部２７がトイレルームの床面上に設置される。
【００２０】
径方向部２３に係止されたオリフィス板３０は、外周側の円環部３１と、該円環部３１の内周端から垂下する短い筒状の環壁部３２と、該環壁部３２の下端に連なる円環状の張出部３３とを有している。該円環部３１は前記径方向部２３の上面に重なっている。径方向部２３の内周縁と第２筒部２２の上端との交叉部は、周方向に延在した浅い棚段状部２５となっており、この棚段状部２５の上面に張出部３３が重なっている。（ａ），（ｂ）図に示される通り、排水口２４側を除いた第２筒部２２上端内周の大部分において、その内周縁よりも内方へ張出部３３が張り出している。
【００２１】
この実施の形態では、径方向部２３に重なった円環部３１が第１筒部２１の下端から内方（縮径方向）に延出した環状の段部を構成している。この段部たる円環部３１よりも環壁部３２の高さΔＨ分だけ下位に前記張出部３３が位置している。このΔＨは３〜１０ｍｍ、特に５〜７ｍｍ程度が好適である。張出部３３の内周縁から環壁部３２までの幅すなわち張出部３３の内径（半径）と外径（半径）との差Ｗは５〜１５ｍｍ、特に８〜１２ｍｍ程度が好適である。
【００２２】
この排水ソケット２０は、例えば特開２００４−１９７３３１号などのように、便器の排水口の位置と床排水管の位置とがずれている場合に用いられるものであり、排水口２４と床排水管とは、床面に沿って横引きされた横引配管（図示略）を介して接続される。ただし、排水口２４が下方を向いていてもよいことは当然である。
【００２３】
この排水ソケット２０を用いて便器排水口４を排水管に接続した便器設置構造においては、該排水口４の内周面とオリフィス板３０の環壁部３２とが略々面一状であることが好ましい。即ち、排水口４の下部の内径と環壁部３２の内径２が略々同一であることが好ましい。また、排水口４の下端と円環部３１との上下方向の間隔（高低差）は５〜１０ｍｍ程度であることが好ましい。これにより、排水口４からの水が張出部３３に当り易くなると共に、排水口４の外周側へ回り込みにくくなる。
【００２４】
このように設置された便器において、便器の便鉢をフラッシュ洗浄した場合、トラップを介して排水口４から排水ソケット２０内に流れ落ちてきた水の一部がオリフィス板３０の張出部３３に当たり、第１筒部２１及びその上側の便器排水口４内が水で満水状態となり、この水が落下することによってサイホンが形成される。
【００２５】
この実施の形態では、排水ソケット２０上部の張出部３３の外周に環壁部３２が存在し、且つ段部たる円環部３１よりも張出部３３がΔＨ分だけ低位となっているので、張出部３３に当った水が排水口４の外周側に入り込むことが防止ないし抑制され、排水ソケット２０の第１筒部２１付近及び排水口４付近が早期に満水になり、サイホンが早期に形成される。
【００２６】
第１図の実施の形態ではオリフィス板３０を用いて張出部３３を形成しているが、張出部を排水ソケットと一体に設けてもよい。
【００２７】
第４図はこの一例を示す縦断図面である。この実施の形態は、前記第３図の排水ソケット１０においてオリフィス状の張出部１４Ａを第２筒部１２の上部に配置したものである。なお、第２筒部１２の下端のオリフィス１４は省略されているが、設置されてもよい。張出部１４Ａの上面と段部１３の上面との高低差ΔＨは３〜１０ｍｍである。
【００２８】
第４図のその他の構成は第３図と同一であり、同一符号は同一部分を示している。
【００２９】
この実施の形態でも、張出部１４ＡがΔＨ分だけ段部１３よりも低位に設けられているので、上記第１図の排水ソケットと同様の作用効果が奏される。
【００３０】
上記実施の形態はいずれも本発明の一例であり、本発明は図示以外の形態をもとりうる。
【図面の簡単な説明】
【００３１】
【図１】実施の形態に係る排水ソケットを示す断面図である。
【図２】従来例に係る便器設置構造の断面図である。
【図３】従来例に係る排水ソケットの断面図である。
【図４】別の実施の形態に係る排水ソケットを示す断面図である。
【符号の説明】
【００３２】
４  排水口
１０，１０Ａ，２０  排水ソケット
１３  段部
１４Ａ  張出部
１１，２１  第１筒部
１２，２２  第２筒部
３０  オリフィス板
３１  円環部
３２  環壁部
３３  張出部
【図１】
2007327300.tif 000003
【図２】
2007327300.tif 000004
【図３】
2007327300.tif 000005
【図４】
2007327300.tif 000006